(57)【要約】【課題】列状に並んだ多数の測定対象についての測定結果を対応する測定対象像に関連付けて表示させる際の作業者の負担を軽減する。【解決手段】測定対象の像３２が列状に並んだ画像３１の画像データを記憶する記憶部と、対応する各像３２に関連付けて各測定結果表示４５を画像３１上に表示させる測定結果表示処理を実行する処理部とを備え、処理部は、像３２−０１〜３２−１０などが画像３１内で第１の方向（例えば上下方向）に沿って並んだ状態となる各測定対象についての表示４５を表示させるときに、例えば、像３２−０１に関連付けて表示４５を表示させる第１の表示位置Ｐ−０１を指定させると共に、像３２−１０に関連付けて表示４５を表示させる第２の表示位置の位置Ｐ−０１に対する存在方向（例えば下向き方向）を指定させ、測定結果表示処理において、位置Ｐ−０１から第２の表示位置に向かって各表示４５を並べて画像３１上に表示させる。【選択図】図１１
2020076601.tif 000002
【特許請求の範囲】
【請求項１】
測定対象を示す測定対象像が複数の当該測定対象のそれぞれの位置に対応して並んだ画像の画像データを記憶する記憶部と、
前記画像データに基づいて前記画像を表示部に表示させると共に、前記各測定対象についての測定結果を、対応する前記各測定対象像に関連付けて当該画像上にそれぞれ表示させる測定結果表示処理を実行する処理部とを備え、
前記処理部は、前記各測定対象像が前記画像内で第１の方向に沿って並んだ状態となる前記各測定対象についての前記測定結果を当該画像上にそれぞれ表示させるときに、前記各測定対象像のうちの前記第１の方向における両端に位置する２つの当該測定対象像のいずれか一方に関連付けて当該いずれか一方の測定対象像に対応する前記測定対象についての前記測定結果を表示させる第１の表示位置を指定させ、かつ前記２つの測定対象像の他方に関連付けて当該他方の測定対象像に対応する前記測定対象についての前記測定結果を表示させる第２の表示位置、および前記第１の表示位置に対する前記第２の表示位置の存在方向のいずれか予め規定された一方を指定させると共に、前記測定結果表示処理において、前記第１の表示位置から前記第２の表示位置に向かって前記各測定対象についての前記測定結果を並べて当該画像上にそれぞれ表示させる測定データ処理装置。
【請求項２】
前記処理部は、前記予め規定された一方としての前記存在方向を指定する複数種類の方向指定ボタンを前記画像と共に表示させると共に、表示させた当該各方向指定ボタンのなかからいずれかの当該方向指定ボタンが選択されたときに、選択された当該方向指定ボタンに対応する方向が前記存在方向として指定されたとして前記各測定結果を表示させる請求項１記載の測定データ処理装置。
【請求項３】
前記測定対象についての測定処理を実行可能に構成された測定装置から送信される測定結果データを受信可能な通信部を備え、
前記処理部は、前記第１の表示位置および前記予め規定された一方が指定されている状態で前記通信部によって前記測定結果データが受信されたときに、当該測定結果データに基づいて特定される前記測定結果を、対応する当該測定結果データの受信順序で前記第１の表示位置から並べて前記画像上に表示させる請求項１または２記載の測定データ処理装置。
【請求項４】
前記処理部は、次に前記測定結果データを受信すべき前記測定対象、および最後に受信された前記測定結果データの前記測定対象の少なくとも一方を特定可能な情報を前記画像と共に表示させる請求項３記載の測定データ処理装置。
【請求項５】
請求項３または４記載の測定データ処理装置と前記測定装置とを備え、当該測定装置による前記測定処理によって生成された前記測定結果データの前記測定結果を前記測定データ処理装置において前記画像上に表示可能に構成されている測定システム。
【請求項６】
測定対象を示す測定対象像が複数の当該測定対象のそれぞれの位置に対応して並んだ画像の画像データに基づいて当該画像を表示部に表示させると共に、前記各測定対象についての測定結果を、対応する前記各測定対象像に関連付けて当該画像上にそれぞれ表示させる測定結果表示処理を測定データ処理装置の処理部に実行させる測定データ処理用プログラムであって、
前記各測定対象像が前記画像内で第１の方向に沿って並んだ状態となる前記各測定対象についての前記測定結果を当該画像上にそれぞれ表示させるときに、前記各測定対象像のうちの前記第１の方向における両端に位置する２つの当該測定対象像のいずれか一方に関連付けて当該いずれか一方の測定対象像に対応する前記測定対象についての前記測定結果を表示させる第１の表示位置を指定させ、かつ前記２つの測定対象像の他方に関連付けて当該他方の測定対象像に対応する前記測定対象についての前記測定結果を表示させる第２の表示位置、および前記第１の表示位置に対する前記第２の表示位置の存在方向のいずれか予め規定された一方を指定させると共に、前記測定結果表示処理において、前記第１の表示位置から前記第２の表示位置に向かって前記各測定対象についての前記測定結果を並べて当該画像上にそれぞれ表示させる処理を前記処理部に実行させる測定データ処理用プログラム。
【発明の詳細な説明】
【技術分野】
【０００１】
本発明は、測定対象についての測定結果を、対応する測定対象の測定対象像に関連付けて表示させる測定データ処理装置、そのような測定データ処理装置を備えて構成された測定システム、およびそのような処理を測定データ処理装置の処理部に実行させる測定データ処理用プログラムに関するものである。
【背景技術】
【０００２】
出願人は、複数の測定対象についての任意の被測定量を測定装置によって各測定対象毎に測定し、その測定結果を示す測定結果データを携帯情報端末によって測定装置から取得して測定結果を表示させつつ測定結果データ（帳票等を生成するための最終的な測定結果データ）を生成することが可能な測定システムを下記の特許文献に開示している。この測定システムを使用して、配電盤に配設されている複数の変圧器を測定対象とし、かつ各変圧器についての温度を被測定量としてそれぞれ測定する際には、まず、各変圧器に温度センサを取り付けて測定装置の測定部に接続する。次いで、測定装置の操作部を操作して測定条件を設定した後に測定処理を開始させる。この際に、測定装置の処理部は、設定された測定条件に従って測定部を制御して各変圧器の温度を測定させ、測定部から出力される測定値データを、測定処理時の測定チャンネルに関連付けて記憶部に記憶させる。
【０００３】
一方、測定装置による上記の測定処理の測定結果を携帯情報端末の表示部に表示させるときには、携帯情報端末において測定データ処理用プログラムを起動させる。この際には、測定対象の撮像を要求するメッセージが携帯情報端末の表示部に表示されるため、このメッセージに従って作業者が配電盤（各変圧器）を撮像することにより、各変圧器の像（以下、「測定対象像」ともいう）が含まれた配電盤の画像が表示部の測定結果表示画面に表示される。次いで、携帯情報端末の処理部が通信部を制御して測定結果データの送信を要求する送信要求信号を測定装置に対して送信させる。これにより、上記の測定処理の結果を示す測定結果データが測定装置から送信されて携帯情報端末の記憶部に記憶される。
【０００４】
続いて、携帯情報端末の処理部は、測定結果表示画面に表示させるべき測定結果を選択させる。具体的には、処理部は、まず、測定結果候補（記憶部に記憶されている測定結果データの生成時に使用された測定チャンネル）を一覧表示させる。この際に、一例として、「ｃｈ１」との測定チャンネルについての測定結果が選択されたときに、処理部は、選択された測定チャンネルの測定結果データを記憶部から読み出し、その測定結果データに基づく測定結果を示す測定結果表示を測定結果表示画面の左上角部に表示させる。この測定結果表示を見た作業者は、その測定結果表示を表示させるべき測定結果表示画面上の位置を指定する。
【０００５】
具体的には、作業者は、測定結果表示画面の左上角部に表示された測定結果表示を、その測定結果に対応する測定対象の測定対象像の位置までドラッグする。これにより、「ｃｈ１」の測定結果が、「ｃｈ１」との測定チャンネルに接続された温度センサが取り付けられている変圧器の像に重なって表示された状態となる。この後、他の測定チャンネルの測定結果についても同様の操作を行って測定結果表示画面上における表示位置を指定することにより、各測定対象（変圧器）についての測定結果が、対応する測定対象の測定対象像に重なってそれぞれ表示された状態となる。
【０００６】
なお、上記のように測定装置から測定結果データを取得した後に、その測定結果データに基づく測定結果表示の表示位置を指定する操作方法に代えて、任意の測定対象像の位置を選択した後に、その位置に表示させるべき測定結果表示の測定結果データを測定装置から取得して測定結果表示を表示させることもできる。この後、各測定対象像毎に測定結果表示が重なって表示された状態の測定結果表示画面のデータ（ハードコピーの画像データ）を生成して記憶部に記憶させることにより、各変圧器についての測定結果をそれぞれ特定可能な最終的な測定結果データの生成が完了する。
【先行技術文献】
【特許文献】
【０００７】
【特許文献１】特開２０１５−４０７７５号公報（第７−１４頁、第１−７図）
【発明の概要】
【発明が解決しようとする課題】
【０００８】
ところが、出願人が開示している測定システムには、以下のような改善すべき課題が存在する。
【０００９】
具体的には、出願人が開示している測定システムにおける携帯情報端末およびその測定データ処理用プログラムでは、複数の測定対象像（上記の例では、複数の変圧器の像）を含む画像を表示させた状態で、測定結果データに基づく測定結果（測定結果表示）の表示位置を個別に指定することで、各測定対象についての測定結果を、対応する測定対象像に関連付けてそれぞれ表示させる構成・処理方法が採用されている。これにより、出願人が開示している携帯情報端末および測定データ処理用プログラムでは、上記特許文献における変圧器の例のように、変則的に配置された測定対象についての測定結果を表示させるときにも、対応する測定対象像の位置に応じて測定結果の表示位置を個別に指定することで、いずれの測定対象についての測定結果であるかを確実かつ容易に特定可能に表示させることができる。
【００１０】
この場合、この種の装置（システム）を用いて測定結果を表示させる測定対象のなかには、多数の測定対象が列状に並んで配設されているものも存在する。出願人が開示している携帯情報端末および測定データ処理用プログラムでは、そのような測定対象についての測定結果を表示させるときにも、各測定対象についての測定結果の表示位置を、対応する測定対象像の位置に対応させてそれぞれ指定することで、いずれの測定対象についての測定結果であるかを確実かつ容易に特定可能に表示させることができる。しかしながら、測定対象の数が数十個から数百個以上のときには、測定結果の表示位置をそれぞれ指定する作業が煩雑となる。このため、この点を改善するのが好ましい。
【００１１】
本発明は、かかる改善すべき課題に鑑みてなされたものであり、列状に並んだ多数の測定対象についての測定結果を対応する測定対象像に関連付けて表示させる際の作業者の負担を十分に軽減し得る測定データ処理装置、測定システムおよび測定データ処理用プログラムを提供することを主目的とする。
【課題を解決するための手段】
【００１２】
上記目的を達成すべく請求項１記載の測定データ処理装置は、測定対象を示す測定対象像が複数の当該測定対象のそれぞれの位置に対応して並んだ画像の画像データを記憶する記憶部と、前記画像データに基づいて前記画像を表示部に表示させると共に、前記各測定対象についての測定結果を、対応する前記各測定対象像に関連付けて当該画像上にそれぞれ表示させる測定結果表示処理を実行する処理部とを備え、前記処理部は、前記各測定対象像が前記画像内で第１の方向に沿って並んだ状態となる前記各測定対象についての前記測定結果を当該画像上にそれぞれ表示させるときに、前記各測定対象像のうちの前記第１の方向における両端に位置する２つの当該測定対象像のいずれか一方に関連付けて当該いずれか一方の測定対象像に対応する前記測定対象についての前記測定結果を表示させる第１の表示位置を指定させ、かつ前記２つの測定対象像の他方に関連付けて当該他方の測定対象像に対応する前記測定対象についての前記測定結果を表示させる第２の表示位置、および前記第１の表示位置に対する前記第２の表示位置の存在方向のいずれか予め規定された一方を指定させると共に、前記測定結果表示処理において、前記第１の表示位置から前記第２の表示位置に向かって前記各測定対象についての前記測定結果を並べて当該画像上にそれぞれ表示させる。
【００１３】
また、請求項２記載の測定データ処理装置は、請求項１記載の測定データ処理装置において、前記処理部は、前記予め規定された一方としての前記存在方向を指定する複数種類の方向指定ボタンを前記画像と共に表示させると共に、表示させた当該各方向指定ボタンのなかからいずれかの当該方向指定ボタンが選択されたときに、選択された当該方向指定ボタンに対応する方向が前記存在方向として指定されたとして前記各測定結果を表示させる。
【００１４】
また、請求項３記載の測定データ処理装置は、請求項１または２記載の測定データ処理装置において、前記測定対象についての測定処理を実行可能に構成された測定装置から送信される測定結果データを受信可能な通信部を備え、前記処理部は、前記第１の表示位置および前記予め規定された一方が指定されている状態で前記通信部によって前記測定結果データが受信されたときに、当該測定結果データに基づいて特定される前記測定結果を、対応する当該測定結果データの受信順序で前記第１の表示位置から並べて前記画像上に表示させる。
【００１５】
さらに、請求項４記載の測定データ処理装置は、請求項３記載の測定データ処理装置において、前記処理部は、次に前記測定結果データを受信すべき前記測定対象、および最後に受信された前記測定結果データの前記測定対象の少なくとも一方を特定可能な情報を前記画像と共に表示させる。
【００１６】
また、請求項５記載の測定システムは、請求項３または４記載の測定データ処理装置と前記測定装置とを備え、当該測定装置による前記測定処理によって生成された前記測定結果データの前記測定結果を前記測定データ処理装置において前記画像上に表示可能に構成されている。
【００１７】
また、請求項６記載の測定データ処理用プログラムは、測定対象を示す測定対象像が複数の当該測定対象のそれぞれの位置に対応して並んだ画像の画像データに基づいて当該画像を表示部に表示させると共に、前記各測定対象についての測定結果を、対応する前記各測定対象像に関連付けて当該画像上にそれぞれ表示させる測定結果表示処理を測定データ処理装置の処理部に実行させる測定データ処理用プログラムであって、前記各測定対象像が前記画像内で第１の方向に沿って並んだ状態となる前記各測定対象についての前記測定結果を当該画像上にそれぞれ表示させるときに、前記各測定対象像のうちの前記第１の方向における両端に位置する２つの当該測定対象像のいずれか一方に関連付けて当該いずれか一方の測定対象像に対応する前記測定対象についての前記測定結果を表示させる第１の表示位置を指定させ、かつ前記２つの測定対象像の他方に関連付けて当該他方の測定対象像に対応する前記測定対象についての前記測定結果を表示させる第２の表示位置、および前記第１の表示位置に対する前記第２の表示位置の存在方向のいずれか予め規定された一方を指定させると共に、前記測定結果表示処理において、前記第１の表示位置から前記第２の表示位置に向かって前記各測定対象についての前記測定結果を並べて当該画像上にそれぞれ表示させる処理を前記処理部に実行させる。
【発明の効果】
【００１８】
請求項１記載の測定データ処理装置では、複数の測定対象像が画像内で第１の方向に沿って並んだ状態となる各測定対象についての測定結果を画像上にそれぞれ表示させるときに、処理部が、各測定対象像のうちの第１の方向における両端に位置する２つの測定対象像のいずれか一方に関連付けていずれか一方の測定対象像に対応する測定対象についての測定結果を表示させる第１の表示位置を指定させ、かつ２つの測定対象像の他方に関連付けて他方の測定対象像に対応する測定対象についての測定結果を表示させる第２の表示位置、および第１の表示位置に対する第２の表示位置の存在方向のいずれか予め規定された一方を指定させると共に、測定結果表示処理において、第１の表示位置から第２の表示位置に向かって各測定対象についての測定結果を並べて画像上にそれぞれ表示させる。また、請求項６記載の測定データ処理用プログラムでは、上記の各処理を測定データ処理装置の処理部に実行させる。
【００１９】
したがって、請求項１記載の測定データ処理装置、請求項５記載の測定システム、および請求項６記載の測定データ処理用プログラムによれば、列状に並んだ複数の測定対象についての測定結果を表示させるときに、各測定対象の測定対象像について測定結果の表示位置を個別に指定する煩雑な操作を行うことなく、第１の表示位置と、第２の表示位置および存在方向のいずれか一方とを指定するだけで、各測定対象についての測定結果を、対応する測定対象像に関連付けて表示させることができる。これにより、測定結果の表示を行う際の作業者の負担を十分に軽減することができる。
【００２０】
請求項２記載の測定データ処理装置では、処理部が、第１の表示位置に対する第２の表示位置の存在方向を指定する複数種類の方向指定ボタンを画像と共に表示させると共に、表示させた各方向指定ボタンのなかからいずれかの方向指定ボタンが選択されたときに、選択された方向指定ボタンに対応する方向が存在方向として指定されたとして各測定結果を表示させる。したがって、請求項２記載の測定データ処理装置、そのような測定データ処理装置を備えた測定システム、およびそのような処理を測定データ処理装置の処理部に実行させる測定データ処理用プログラムによれば、各方向指定ボタンのうちのいずれかを選択する非常に簡単な操作を行うだけで存在方向を指定することができるため、測定結果の表示を行う際の作業者の負担を一層軽減することができる。
【００２１】
請求項３記載の測定データ処理装置では、処理部が、第１の表示位置と、第２の表示位置および存在方向のいずれか予め規定された一方とが指定されている状態で通信部によって測定結果データが受信されたときに、測定結果データに基づいて特定される測定結果を、対応する測定結果データの受信順序で第１の表示位置から並べて画像上に表示させる。また、請求項５記載の測定システムでは、上記のような測定データ処理装置と測定装置とを備え、測定装置による測定処理によって生成された測定結果データの測定結果を測定データ処理装置において画像上に表示可能に構成されている。
【００２２】
したがって、請求項３記載の測定データ処理装置、請求項５記載の測定システム、およびそのような処理を測定データ処理装置の処理部に実行させる測定データ処理用プログラムによれば、測定装置に表示される測定結果を読み取って測定データ処理装置において操作部の操作によって測定結果を入力する作業を行わなくても、測定装置による測定結果を測定データ処理装置において測定結果として容易に表示させることができる。これにより、測定結果の表示を行う際の作業者の負担をさらに軽減することができる。
【００２３】
請求項４記載の測定データ処理装置では、処理部が、次に測定結果データを受信すべき測定対象、および最後に受信された測定結果データの測定対象の少なくとも一方を特定可能な情報を画像と共に表示させる。したがって、請求項４記載の測定データ処理装置、そのような測定データ処理装置を備えた測定システム、およびそのような処理を測定データ処理装置の処理部に実行させる測定データ処理用プログラムによれば、測定結果データを取得して測定結果を表示させた測定対象についての重複する測定作業を実行したり、測定結果データを取得して測定結果を表示させるべき測定対象についての測定作業を実行し忘れたりする事態を好適に回避することができる。これにより、各測定対象についての測定結果を、重複や抜けを生じさせることなく、対応する測定対象像に対して正確に関連付けて表示させることができる。
【図面の簡単な説明】
【００２４】
【図１】測定システム１００の構成を示す構成図である。
【図２】配電盤ＹにおけるブレーカＸ−０１〜Ｘ−２０の配置の一例について説明するための説明図である。
【図３】ブレーカＸ−０１〜Ｘ−２０の像３２−０１〜３２−２０を含む画像（配電盤Ｙの画像３１：カメラ２１によって撮像された撮像データＤ０の画像）の一例を示す図である。
【図４】測定作業支援画面４０の一例を示す表示画面図である。
【図５】位置Ｐ−０１，Ｐ−１１の指定、および方向指定ボタン４１ｅの選択が行われた状態の測定作業支援画面４０の表示画面図である。
【図６】測定結果データＤ１の取得を開始した直後の測定作業支援画面４０の表示画面図である。
【図７】ブレーカＸ−０１についての測定結果データＤ１の取得が完了した時点における測定作業支援画面４０の表示画面図である。
【図８】ブレーカＸ−０２についての測定結果データＤ１の取得が完了した時点における測定作業支援画面４０の表示画面図である。
【図９】ブレーカＸ−１０についての測定結果データＤ１の取得が完了した時点における測定作業支援画面４０の表示画面図である。
【図１０】ブレーカＸ−１１についての測定結果データＤ１の取得が完了した時点における測定作業支援画面４０の表示画面図である。
【図１１】ブレーカＸ−２０についての測定結果データＤ１の取得が完了した時点における測定作業支援画面４０の表示画面図である。
【図１２】測定結果表示画面５０の一例を示す表示画面図である。
【図１３】測定作業支援画面４０の他の一例を示す表示画面図である。
【図１４】位置Ｐ−０１，Ｐ−１０，Ｐ−１１，Ｐ−２０の指定が行われた状態の測定作業支援画面４０の表示画面図である。
【図１５】測定作業支援画面４０のさらに他の一例を示す表示画面図である。
【発明を実施するための形態】
【００２５】
以下、本発明に係る測定データ処理装置、測定システムおよび測定データ処理用プログラムの実施の形態について、添付図面を参照して説明する。
【００２６】
図１に示す測定システム１００は、「測定システム」の一例であって、測定装置１および携帯情報端末２を備えて構成されている。
【００２７】
なお、以下の説明においては、「測定データ処理装置」、「測定システム」および「測定データ処理用プログラム」の発明についての理解を容易とするために、一例として、図２に示す配電盤Ｙに配設されているブレーカＸ−０１〜Ｘ−２０（以下、これらを区別しないときには「ブレーカＸ」ともいう）を「測定対象」とし、これらが配設されている電路の絶縁抵抗値を測定結果として測定するものとする。この場合、この配電盤Ｙの例では、ブレーカＸ−０１〜Ｘ−１０の１０個が上下方向に沿って並んで配設されると共に、ブレーカＸ−１１〜Ｘ−２０の１０個が上下方向に沿って並んで配設されている。なお、実際の配電盤Ｙには、各ブレーカＸ以外の各種の機器やケーブルが配設されているが、測定システム１００を使用した測定作業についての理解を容易とするために、各ブレーカＸ以外の要素に関する図示および説明を省略する。
【００２８】
測定装置１は、「測定装置」の一例であって、図示しない一対のテストリードやクランプセンサ等を介して、測定対象についての各種の電気的パラメータを測定することができるように構成されている。具体的には、この測定装置１は、図１に示すように、測定部１１、通信部１２、操作部１３、表示部１４、処理部１５および記憶部１６を備えている。測定部１１は、処理部１５の制御に従い、電圧値、電流値および抵抗値などの被測定量のうちの予め選択された１つ（本例では、絶縁抵抗値）を測定して測定結果を示す測定結果データＤ１を生成し、生成した測定結果データＤ１を処理部１５に出力する。
【００２９】
通信部１２は、一例として、ブルートゥース（Bluetooth ：登録商標）規格などの近距離無線通信規格に準ずる無線通信が可能な通信アダプタで構成されている。この通信部１２は、処理部１５の制御に従い、携帯情報端末２などの各種無線通信機器との間で測定結果データＤ１などの各種データを送受信する。操作部１３は、動作条件（測定条件）の入力操作が可能な操作スイッチを備え、スイッチ操作に応じた操作信号を処理部１５に出力する。表示部１４は、処理部１５の制御に従い、動作条件設定画面や測定作業支援画面等の各種の表示画面（図示せず）を表示する。
【００３０】
処理部１５は、測定装置１を総括的に制御する。具体的には、処理部１５は、測定部１１を制御して測定処理を実行させる。また、処理部１５は、測定部１１から出力される測定結果データＤ１を記憶部１６に記憶させる。さらに、処理部１５は、測定結果データＤ１の値（測定結果：本例では、絶縁抵抗値）を表示部１４に表示させると共に、通信部１２を制御して携帯情報端末２等の外部装置に対して測定結果データＤ１を送信させる。記憶部１６は、処理部１５の演算結果や測定結果データＤ１などを記憶する。
【００３１】
一方、携帯情報端末２は、「測定データ処理装置」に相当し、一例として、測定データ処理用プログラムＤｐ（「測定データ処理用プログラム」の一例）をインストールした既存のタブレット端末やスマートフォンで構成されている。この場合、広義には、「タブレット端末」は「タッチパネル等のポインティングデバイスと表示装置とを備えたＰＤＡ（携帯情報端末）」を意味し、「スマートフォン」は「ＰＤＡ（携帯情報端末）の機能が備わった携帯電話」を意味するが、本明細書では、この広義の「タブレット端末」および広義の「スマートフォン」のうちの「各種プログラムのインストールによって任意の機能を付加したり、端末の操作環境や表示環境等をカスタマイズしたりすることができるもの」を「タブレット端末」や「スマートフォン」という。
【００３２】
具体的には、本例の測定システム１００では、一例として、携帯情報端末２がタブレット端末で構成されており、カメラ（撮像部）２１、通信部２２、操作部２３、表示部２４、処理部２５および記憶部２６を備えている。なお、実際の携帯情報端末２は、上記の各構成要素２１〜２６の他に、「タブレット端末」としての機能を実現するための各種の構成要素を備えているが、本願発明についての理解を容易とするために、これらの構成要素についての図示および説明を省略する。
【００３３】
カメラ２１は、処理部２５の制御に従って各ブレーカＸ等の「測定対象」を撮像して撮像データＤ０を生成し、生成した撮像データＤ０を処理部２５に出力する。通信部２２は、一例として、前述した測定装置１の通信部１２と同様にしてブルートゥース等の近距離無線通信規格に準ずる無線通信が可能な通信アダプタで構成されている。この通信部２２は、「通信部」の一例であって、処理部２５の制御に従い、測定装置１から送信される測定結果データＤ１などの受信処理、および測定装置１に対する各種の制御信号の送信処理を実行する。
【００３４】
操作部２３は、一例として、表示部２４の前面側に配設されたタッチパネルや、携帯情報端末２を「タブレット端末」としての機能させるための各種の操作スイッチを備え、操作に応じた操作信号を処理部２５に出力する。表示部２４は、一例として液晶表示パネルを備え、処理部２５の制御に従い、測定作業支援画面４０（図４〜１１参照）や、測定結果表示画面５０（図１２参照）などの各種の表示画面を表示する。
【００３５】
処理部２５は、「処理部」の一例であって、携帯情報端末２を総括的に制御する。具体的には、処理部２５は、測定データ処理用プログラムＤｐの記述に従い、カメラ２１を制御して各種の「測定対象」を撮像させると共に、カメラ２１から出力される撮像データＤ０を記憶部２６に記憶させる。また、処理部２５は、撮像データＤ０に基づき、ブレーカＸ−０１〜Ｘ−２０の像３２−０１〜３２−２０（「測定対象を示す測定対象像」の一例：以下、区別しないときには「像３２」ともいう）を含む画像３１（図３参照）を測定作業支援画面４０や測定結果表示画面５０などに表示させる。
【００３６】
さらに、処理部２５は、測定データ処理用プログラムＤｐに従い、例えば図４に示すように測定作業支援画面４０を表示部２４に表示させた状態において、各ブレーカＸについての測定結果の表示条件（表示態様）を設定（指定）させる。また、処理部２５は、測定装置１（通信部１２）から送信されて通信部２２によって受信された測定結果データＤ１を記憶部２６に記憶させると共に、測定結果データＤ１に基づいて特定される測定結果（本例では、絶縁抵抗値）を、予め設定された表示条件に従って各像３２に関連付けて測定作業支援画面４０内に表示させる。なお、測定結果の表示条件の設定や、設定された表示条件での測定結果の表示については、後に、具体的な例を挙げて詳細に説明する。
【００３７】
さらに、処理部２５は、後述するように、各ブレーカＸについての測定結果データＤ１の取得が完了して測定作業支援画面４０における測定終了ボタン４６（図６〜１１参照）が操作されたときに、取得を完了した測定結果データＤ１に基づいて測定結果データＤ２を生成して記憶部２６に記憶させると共に、測定作業支援画面４０に代えて測定結果表示画面５０（図１２参照）を表示させる。
【００３８】
記憶部２６は、「記憶部」の一例であって、測定データ処理用プログラムＤｐ、撮像データＤ０および測定結果データＤ１，Ｄ２などを記憶する。この場合、測定データ処理用プログラムＤｐの一部や、撮像データＤ０および測定結果データＤ１，Ｄ２については、携帯情報端末２の内蔵メモリで構成された記憶部２６に代えて、携帯情報端末２に装着された各種のリムーバブルメモリ（「記憶部」の他の一例：図示せず）に記憶させることもできる。
【００３９】
次に、測定システム１００を用いた測定作業（測定結果データＤ２を生成する作業）について、添付図面を参照して説明する。なお、携帯情報端末２への測定データ処理用プログラムＤｐのインストール作業や、測定装置１の通信部１２と携帯情報端末２の通信部２２との間におけるブルートゥースのペアリング作業などについては既に完了しているものとする。
【００４０】
まず、測定装置１および携帯情報端末２を測定現場（配電盤Ｙの設置場所）に携行し、携帯情報端末２において測定データ処理用プログラムＤｐを起動させる。この際には、図示しない初期画面が表示部２４に表示されるため、一例として、操作部２３（タッチパネル）の操作によって「測定対象の撮像」との項目を選択した後に、配電盤Ｙ（各ブレーカＸ）をカメラ２１によって撮像する。これにより、図３に示すように、「測定対象」としてのブレーカＸ−０１〜Ｘ−２０の像３２−０１〜３２−２０が、各ブレーカＸの位置に対応して並んだ画像３１の撮像データＤ０（「測定対象を示す測定対象像が複数の測定対象のそれぞれの位置に対応して並んだ画像の画像データ」の一例）がカメラ２１によって生成されて処理部２５に出力される。
【００４１】
この場合、本例の配電盤Ｙでは、前述したように、ブレーカＸ−０１〜Ｘ−１０の１０個が上下方向に沿って並んで配設されると共に、ブレーカＸ−１１〜Ｘ−２０の１０個が上下方向に沿って並んで配設されている。したがって、この配電盤Ｙを撮像した撮像データＤ０の画像３１においては、ブレーカＸ−０１〜Ｘ−１０の像３２−０１〜３２−１０が上下方向に沿って並び、かつブレーカＸ−１１〜Ｘ−２０の像３２−１１〜３２−２０が上下方向に沿って並んだ状態となる（「第１の方向」が「上下方向」となる測定対象の例）。
【００４２】
また、処理部２５は、上記のようにカメラ２１から撮像データＤ０が出力されたときに、測定データ処理用プログラムＤｐに従い、その撮像データＤ０を記憶部２６に記憶させると共に、図４に示すように、撮像データＤ０の画像３１を表示部２４の測定作業支援画面４０内に表示させる。この際に、図２に示す配電盤Ｙの各ブレーカＸを「測定対象」とする本例とは相違するが、「画像内の測定対象像」の数が数個程度の少数で、各「測定対象像」に対応させて表示させる「測定結果」の数が少数のときには、前述の特許文献において出願人が開示している「携帯情報端末」およびその「測定データ処理用プログラム」における表示位置の指定時と同様にして、各「測定対象像」の位置に対応させて「測定結果」の表示位置を個別に指定する。
【００４３】
一方、各像３２−０１〜３２−１０の１０個、および像３２−１１〜３２−２０の１０個が画像３１内で「第１の方向（本例では、上下方向）」に沿ってそれぞれ並んだ状態となる画像３１上に、各ブレーカＸについての測定結果それぞれ表示させようとしている本例では、測定作業支援画面４０内に画像３１を表示させた状態で操作部２３を操作して各測定結果の表示条件を指定することにより、複数の測定結果の表示位置を一括して指定する。
【００４４】
具体的には、本例の携帯情報端末２（測定データ処理用プログラムＤｐ）では、測定結果の表示条件の指定に際して、一例として、「各測定対象像のうちの第１の方向（各測定対象像の配列方向）における両端に位置する２つの測定対象像のいずれか一方」に関連付けて、その「測定対象像」に対応する「測定対象」についての「測定結果」を表示させる「第１の表示位置」と、「各測定対象像のうちの第１の方向における両端に位置する２つの測定対象像の他方」に関連付けて、その「測定対象像」に対応する「測定対象」についての「測定結果」を表示させる「第２の表示位置」の「第１の表示位置」に対する「存在方向」とをそれぞれ指定させる構成・処理方法が採用されている。
【００４５】
また、本例の携帯情報端末２（測定データ処理用プログラムＤｐ）では、「第１の表示位置」に対する「第２の表示位置」の「存在方向」の指定に関して、「複数種類の方向指定ボタン」のなかから、任意の「存在方向」に対応付けられた「方向指定ボタン」を選択させる構成・処理方法が採用されている。このため、各ブレーカＸについての「測定結果」としての測定結果表示４５−０１〜４５−２０（図１１参照：以下、区別しないときには「測定結果表示４５」ともいう）についての表示条件の指定を行っていないこの時点の測定作業支援画面４０には、図４に示すように、「方向指定ボタン」の一例である方向指定ボタン４１ａ〜４１ｆが上記の画像３１と共に表示される。
【００４６】
この場合、方向指定ボタン４１ａ〜４１ｆには、「第１の表示位置に対する第２の表示位置の存在方向」を指定する機能が割り当てられている。具体的には、方向指定ボタン４１ａには、「第１の表示位置に対する第２の表示位置の存在方向」を「上向き方向」と指定する機能が割り当てられている。また、方向指定ボタン４１ｂには、「存在方向」を「下向き方向」と指定する機能が割り当てられている。また、方向指定ボタン４１ｃには、「存在方向」を「左向き方向」と指定する機能が割り当てられている。また、方向指定ボタン４１ｄには、「存在方向」を「右向き方向」と指定する機能が割り当てられている。また、方向指定ボタン４１ｅには、「存在方向」を「下向き方向」とし、かつ「測定対象像の配列が複数列存在する」と指定する機能が割り当てられている。さらに、方向指定ボタン４１ｅには、「存在方向」を「右向き方向」とし、かつ「測定対象像の配列が複数列存在する」と指定する機能が割り当てられている。
【００４７】
したがって、画像３１内に上下方向に沿って並んだ１０個の像３２が左右方向で２列存在する本例では、「第１の表示位置」の指定と併せて、方向指定ボタン４１ｅの選択によって「存在方向」を「下向き方向」とし、かつ「測定対象像の配列が複数列存在する」と指定する。なお、「第１の表示位置」および「存在方向」については、いずれを先に指定してもよいが、本例では、一例として、最初に「第１の表示位置」を指定し、次いで、「存在方向」を指定する。
【００４８】
具体的には、一例として、像３２−０１〜３２−１０のうちの上下方向の両端に位置する像３２−０１，３２−１０の一方である像３２−０１に関連付けてブレーカＸ−０１についての測定結果表示４５−０１（図７参照）を表示させる「第１の表示位置」として、図４に示す位置Ｐ−０１をタップして指定する。これに応じて、処理部２５は、測定データ処理用プログラムＤｐに従い、図５に示すように、１番目に取得される「測定結果」の表示位置であることを示すマーカー４２−０１を位置Ｐ−０１に表示させる。
【００４９】
この場合、上記の位置Ｐ−０１としては、その位置に表示させた測定結果表示４５−０１が像３２−０１に関連付けられていることを認識できる位置であって、測定結果表示４５−０１、および測定結果表示４５−０１に続けて表示させる測定結果表示４５−０２〜４５−１０（図９参照）が像３２−０１〜３２−１０などの視認を阻害することがない位置を指定するのが好ましい。これにより、「第１の表示位置」の指定が完了する。
【００５０】
次いで、方向指定ボタン４１ｅを選択して（タッチして）「存在方向」を指定する（「各方向指定ボタンのなかからいずれかの方向指定ボタンが選択されたとき」の一例）。これに応じて、処理部２５は、測定データ処理用プログラムＤｐに従い、図５に示すように、一例として、方向指定ボタン４１ａ〜４１ｄ，４１ｆを非表示として、選択された方向指定ボタン４１ｅだけが表示された状態とすることにより、方向指定ボタン４１ｅに関連付けられている「存在方向」が指定されていることを報知する。これにより、「存在方向」が「下向き方向」で「測定対象像の配列が複数列存在する」との指定が完了する。
【００５１】
また、方向指定ボタン４１ｅの選択によって「測定対象像の配列が複数列存在する」との指定された本例では、処理部２５が、測定データ処理用プログラムＤｐに従い、２列目の像３２−１１〜３２−２０のうちの上下方向の両端に位置する像３２−１１，３２−２０の一方である像３２−１１に関連付けてブレーカＸ−１１についての測定結果表示４５−１１（図１０参照）を表示させる「第１の表示位置」が指定されるまで待機する。この際には、２列目の像３２の最上部の像３２−１１が、１１番目に取得される「測定結果」に対応する「測定対象像」であると指定した後に、図４に示す位置Ｐ−１１をタップする。これに応じて、処理部２５は、測定データ処理用プログラムＤｐに従い、図５に示すように、１１番目に取得される「測定結果」の表示位置であることを示すマーカー４２−１１を位置Ｐ−１１に表示させる。
【００５２】
この場合、上記の位置Ｐ−１１としては、その位置に表示させた測定結果表示４５−１１が像３２−１１に関連付けられていることを認識できる位置であって、測定結果表示４５−１１および測定結果表示４５−１１に続けて表示させる測定結果表示４５−１２〜４５−２０（図１１参照）が像３２−１１〜３２−２０などの視認を阻害することがない位置を指定するのが好ましい。これにより、２列目の像３２に関する「第１の表示位置」の指定が完了する。なお、１０個×２列の像３２が画像３１内に存在する本例とは異なり、複数個×３列以上の「測定対象像」が「画像」内に存在するときには、３列目以降の「測定対象像」に関しても、上記の位置Ｐ−１１の指定と同様にして「第１の表示位置」を順次指定する。
【００５３】
一方、本例は、２列目の像３２に関する「第１の表示位置（位置Ｐ−１１）」の指定が完了した時点で表示条件の指定が完了するため、図５に示す完了ボタン４３を操作する。以上により、各ブレーカＸについての測定結果データＤ１を取得する作業の準備が整う。
【００５４】
この場合、処理部２５は、完了ボタン４３が操作されて表示条件の指定が完了したときに、「測定結果表示処理」を開始する。具体的には、処理部２５は、測定データ処理用プログラムＤｐに従い、図６に示すように、一例として、選択されている方向指定ボタン４１ｅを測定作業支援画面４０の左上に表示させると共に、いずれのブレーカＸについての測定結果データＤ１を取得すべきかを作業者に特定させるための対象特定用表示４４（「次に測定結果データを受信すべき測定対象を特定可能な情報」の一例）と、すべてのブレーカＸについての測定結果データＤ１の取得が完了した際に操作する測定終了ボタン４６とを測定作業支援画面４０内に表示させる。
【００５５】
これにより、測定作業支援画面４０内の対象特定用表示４４を見た作業者は、１番目のブレーカＸ、すなわち、マーカー４２−０１に基づいて１番目のブレーカＸについての「測定対象像」であると認識される像３２−０１に対応するブレーカＸ−０１についての測定結果データＤ１を取得すべきであると認識する。したがって、作業者は、測定装置１を使用してブレーカＸ−０１を対象とする測定処理を実行する。
【００５６】
この際には、測定装置１の測定部１１が処理部１５の制御に従ってブレーカＸ−０１についての予め設定された被測定量（本例では、絶縁抵抗値）を測定して測定結果データＤ１を生成し、生成した測定結果データＤ１を処理部１５に出力する。また、処理部１５は、出力された測定結果データＤ１を記憶部１６に記憶させると共に、通信部１２を介して携帯情報端末２に送信する。
【００５７】
一方、携帯情報端末２では、測定装置１から送信された測定結果データＤ１が通信部２２によって受信されたときに（「第１の表示位置および予め規定された一方（本例では、存在方向）が指定されている状態で通信部によって測定結果データが受信されたとき」の一例）、処理部２５が、測定データ処理用プログラムＤｐに従い、その測定結果データＤ１を記憶部２６に記憶させる。また、処理部２５は、図７に示すように、測定結果データＤ１の値（本例では、ブレーカＸ−０１の絶縁抵抗値）を示す測定結果表示４５−０１をマーカー４２−０１の直下に表示させる。
【００５８】
これにより、測定結果表示４５−０１がブレーカＸ−０１の像３２−０１に関連付けられた状態で画像３１上に表示された状態となる。なお、本例の携帯情報端末２および測定データ処理用プログラムＤｐでは、この測定結果表示４５−０１を含む各測定結果表示４５内に、測定結果データＤ１に基づいて特定される測定結果（被測定量：本例では、絶縁抵抗値）と、その測定結果データＤ１の測定番号を示す丸数字とが表示される構成および処理方法が採用されている。したがって、測定作業支援画面４０内に最後に表示された測定結果表示４５（測定結果表示４５−０１だけが表示されているこの時点では、測定結果表示４５−０１）内に表示される丸数字（「最後に受信された測定結果データの測定対象を特定可能な情報」の一例）を参照することで、何番目の測定順序の測定結果データＤ１まで取得が完了しているのかを特定することが可能となっている。
【００５９】
さらに、処理部２５は、「次に測定結果データを受信すべき測定対象を特定可能な情報」の一例である対象特定用表示４４を、２番目のブレーカＸについての測定結果データＤ１を取得すべきであることを特定させる内容に表示替えする。これにより、測定結果表示４５−０１内に表示される丸数字や、表示替えされた対象特定用表示４４を見た作業者は、１番目のブレーカＸについての測定結果データＤ１の取得が完了し、２番目のブレーカＸ、すなわち、測定結果表示４５−０１が関連付けられて表示されている像３２−０１の下方に表示されている像３２−０２に対応するブレーカＸ−０２についての測定結果データＤ１を取得すべき状態であると認識する。したがって、作業者は、測定装置１を使用してブレーカＸ−０２を対象とする測定処理を実行する。
【００６０】
この際には、測定装置１によって測定処理が実行されてブレーカＸ−０２についての測定結果データＤ１が携帯情報端末２に送信される。また、携帯情報端末２では、送信された測定結果データＤ１が通信部２２によって受信されたときに（「第１の表示位置および予め規定された一方が指定されている状態で通信部によって測定結果データが受信されたとき」の他の一例）、処理部２５が測定結果データＤ１を記憶部２６に記憶させると共に、図８に示すように、その測定結果データＤ１の値（ブレーカＸ−０２の絶縁抵抗値）を示す測定結果表示４５−０２を測定結果表示４５−０１の下方に並べて表示させる。これにより、測定結果表示４５−０２がブレーカＸ−０２の像３２−０２に関連付けられた状態で画像３１上に表示された状態となる。また、処理部２５は、対象特定用表示４４を、３番目のブレーカＸについての測定結果データＤ１を取得すべきであることを特定させる内容に表示替えする。
【００６１】
この後、３番目以降の各ブレーカＸについての測定処理を実行して測定結果データＤ１を携帯情報端末２に順次送信することにより、ブレーカＸ−１０についての測定結果データＤ１が携帯情報端末２において受信されたとき（「第１の表示位置および予め規定された一方が指定されている状態で通信部によって測定結果データが受信されたとき」のさらに他の一例）には、図９に示すように、その測定結果データＤ１の値（ブレーカＸ−１０の絶縁抵抗値）を示す測定結果表示４５−１０が測定結果表示４５−０９の下方に並んで表示される。これにより、測定結果表示４５−０１〜４５−１０までの１０個がブレーカＸ−０１〜Ｘ−１０の像３２−０１〜３２−１０にそれぞれ関連付けられた状態（各像３２の配列順に合致した状態）で画像３１上に表示される。
【００６２】
この場合、上記の測定結果表示４５−０１〜４５−１０を画像３１上に表示させる処理においては、マーカー４２−０１の直下に測定結果表示４５−０１を表示させた時点から、測定結果表示４５−０９の下方に測定結果表示４５−１０を表示させた時点までの一例の処理が、「第１の表示位置から第２の表示位置に向かって各測定対象についての測定結果を並べて画像上にそれぞれ表示させる」との処理の一例である「測定結果データに基づいて特定される測定結果を、対応する測定結果データの受信順序で第１の表示位置から並べて画像上に表示させる」との処理に相当すると共に、「選択された方向指定ボタンに対応する方向が存在方向として指定されたとして各測定結果を表示させる」との処理に相当する。
【００６３】
一方、上記のように測定結果表示４５−０１〜４５−１０が測定作業支援画面４０内に並んで表示されたときには、図９に示すように、対象特定用表示４４が、１１番目のブレーカＸについての測定結果データＤ１を取得すべきであることを特定させる内容に表示替えされる。これにより、測定結果表示４５−１０内に表示される丸数字や、測定作業支援画面４０内の対象特定用表示４４を見た作業者は、１０番目のブレーカＸについての測定結果データＤ１の取得が完了し、１１番目のブレーカＸ、すなわち、マーカー４２−１１に基づいて１１番目のブレーカＸについての「測定対象像」であると認識される像３２−１１に対応するブレーカＸ−１１についての測定結果データＤ１を取得すべき状態であると認識する。したがって、作業者は、測定装置１を使用してブレーカＸ−１１を対象とする測定処理を実行する。
【００６４】
この際には、測定装置１から送信された測定結果データＤ１が通信部２２によって受信されたときに（「第１の表示位置および予め規定された一方が指定されている状態で通信部によって測定結果データが受信されたとき」のさらに他の一例）、処理部２５が、測定データ処理用プログラムＤｐに従い、その測定結果データＤ１を記憶部２６に記憶させる。また、処理部２５は、図１０に示すように、測定結果データＤ１の値（この際には、ブレーカＸ−１１の絶縁抵抗値）を示す測定結果表示４５−１１をマーカー４２−１１の直下に表示させる。これにより、測定結果表示４５−１１がブレーカＸ−１１の像３２−１１に関連付けられた状態で画像３１上に表示された状態となる。
【００６５】
この後、１２番目以降の各ブレーカＸについての測定処理を実行して測定結果データＤ１を携帯情報端末２に順次送信することにより、ブレーカＸ−２０についての測定結果データＤ１が携帯情報端末２において受信されたとき（「第１の表示位置および予め規定された一方が指定されている状態で通信部によって測定結果データが受信されたとき」のさらに他の一例）には、図１１に示すように、その測定結果データＤ１の値（ブレーカＸ−２０の絶縁抵抗値）を示す測定結果表示４５−２０が測定結果表示４５−１９の下方に並んで表示される。これにより、測定結果表示４５−０１〜４５−１０までの１０個に続き、測定結果表示４５−１１〜４５−２０までの１０個がブレーカＸ−１１〜Ｘ−２０の像３２−１１〜３２−２０にそれぞれ関連付けられた状態（各像３２の配列順に合致した状態）で画像３１上に表示される。
【００６６】
この場合、上記の測定結果表示４５−１１〜４５−２０を画像３１上に表示させる処理においては、マーカー４２−１１の直下に測定結果表示４５−１１を表示させた時点から、測定結果表示４５−１９の下方に測定結果表示４５−２０を表示させた時点までの一例の処理が、「第１の表示位置から第２の表示位置に向かって各測定対象についての測定結果を並べて画像上にそれぞれ表示させる」との処理の一例である「測定結果データに基づいて特定される測定結果を、対応する測定結果データの受信順序で第１の表示位置から並べて画像上に表示させる」との処理に相当すると共に、「選択された方向指定ボタンに対応する方向が存在方向として指定されたとして各測定結果を表示させる」との処理に相当する。
【００６７】
なお、配電盤ＹにブレーカＸ−０１〜Ｘ−２０の２０個が配設されている本例では、ブレーカＸ−２０についての測定結果データＤ１が取得されて測定作業支援画面４０内に測定結果表示４５−２０が表示されたこの時点において、「次に測定結果データＤ１を取得すべきブレーカＸ」は存在しない。しかしながら、測定結果データＤ１の取得に先立って行った表示条件の指定において作業者の負担を軽減するために画像３１内の像３２の数（ブレーカＸの数：本例では、２０個）を指定していない本例では、測定結果表示４５−０１〜４５−２０のすべてが測定作業支援画面４０内に表示されているこの時点において、対象特定用表示４４が、２１番目のブレーカＸについての測定結果データＤ１を取得すべきであることを特定させる内容に表示替えされる。
【００６８】
しかしながら、画像３１内のすべての像３２について、対応するブレーカＸについての測定結果表示４５がそれぞれ関連付けて表示された状態となっているため、作業者が、対象特定用表示４４の表示内容に拘わらず、対象とすべきすべてのブレーカＸについての測定結果データＤ１の取得が完了したと認識する。この際に、作業者は、測定終了ボタン４６を操作して配電盤Ｙ（ブレーカＸ−０１〜Ｘ−１０）についての測定結果データＤ１の取得作業を終了させる。
【００６９】
この際に、処理部２５は、測定データ処理用プログラムＤｐに従い、測定作業支援画面４０に代えて、図１２に示す測定結果表示画面５０を表示部２４に表示させる。なお、この測定結果表示画面５０は、測定作業支援画面４０における方向指定ボタン４１ｅ，マーカー４２−０１，４２−１１、対象特定用表示４４および測定終了ボタン４６などを非表示とした点を除き、測定作業支援画面４０と同様にして、画像３１内の各像３２に関連付けられて、対応する各測定結果表示４５がそれぞれ表示されている。以上により、「測定結果表示処理」が完了する。
【００７０】
また、処理部２５は、一例として、「測定結果表示処理」を終了させた時点において、各ブレーカＸについての複数の像３２を含む画像３１の撮像データＤ０と、ブレーカＸ−０１〜Ｘ−２０についての２０個の測定結果データＤ１と、表示条件として指定された「第１の表示位置（本例では、位置Ｐ−０１，Ｐ−１１の２点）」および「存在方向（本例では、下向き方向）」とを特定可能なデータとを相互に関連付けて測定結果データＤ２を生成し、生成した測定結果データＤ２を配電盤Ｙについての最終的な測定結果のデータとして記憶部２６に記憶させる。以上により、配電盤Ｙ（ブレーカＸ−０１〜Ｘ−２０）についての一連の作業が終了する。
【００７１】
このように、この携帯情報端末２では、複数の像３２（測定対象像）が画像３１内で「第１の方向」に沿って並んだ状態となる各ブレーカＸ（測定対象）についての測定結果表示４５（測定結果）を画像３１上にそれぞれ表示させるときに、処理部２５が、各像３２のうちの「第１の方向」における両端に位置する２つの像３２のいずれか一方に関連付けていずれか一方の像３２に対応するブレーカＸについての測定結果表示４５を表示させる「第１の表示位置」を指定させ、かつ２つの像３２の他方に関連付けて他方の像３２に対応するブレーカＸについての測定結果表示４５を表示させる「第２の表示位置」、および「第１の表示位置」に対する「第２の表示位置」の「存在方向」のいずれか予め規定された一方（上記の例では、「存在方向」）を指定させると共に、「測定結果表示処理」において、「第１の表示位置」から「第２の表示位置」に向かって各ブレーカＸについての測定結果表示４５を並べて画像３１上にそれぞれ表示させる。また、この測定データ処理用プログラムＤｐでは、上記の各処理を携帯情報端末２の処理部２５に実行させる。
【００７２】
したがって、この携帯情報端末２、測定システム１００および測定データ処理用プログラムＤｐによれば、列状に並んだ複数のブレーカＸ（測定対象）についての測定結果表示４５（測定結果）を表示させるときに、各ブレーカＸの像３２について測定結果表示４５の表示位置を個別に指定する煩雑な操作を行うことなく、「第１の表示位置」と「存在方向」とを指定するだけで、各ブレーカＸについての測定結果表示４５を、対応する像３２に関連付けて表示させることができる。これにより、測定結果表示４５の表示を行う際の作業者の負担を十分に軽減することができる。
【００７３】
また、この携帯情報端末２では、処理部２５が、「第１の表示位置」に対する「第２の表示位置」の「存在方向」を指定する複数種類の方向指定ボタン４１ａ〜４１ｆを画像３１と共に表示させると共に、表示させた各方向指定ボタン４１ａ〜４１ｆのなかからいずれかの方向指定ボタン４１が選択されたときに、選択された方向指定ボタン４１に対応する方向が「存在方向」として指定されたとして各測定結果表示４５を表示させる。したがって、この携帯情報端末２、測定システム１００および測定データ処理用プログラムＤｐによれば、方向指定ボタン４１ａ〜４１ｆのうちのいずれかを選択する非常に簡単な操作を行うだけで「存在方向」を指定することができるため、測定結果表示４５の表示を行う際の作業者の負担を一層軽減することができる。
【００７４】
また、この携帯情報端末２では、処理部２５が、「第１の表示位置」と、「第２の表示位置」および「存在方向」のいずれか予め規定された一方とが指定されている状態で通信部２２によって測定結果データＤ１が受信されたときに、測定結果データＤ１に基づいて特定される測定結果表示４５を、対応する測定結果データＤ１の受信順序で「第１の表示位置」から並べて画像３１上に表示させる。また、この測定システム１００では、測定装置１と携帯情報端末２とを備え、測定装置１による測定処理によって生成された測定結果データＤ１の測定結果表示４５を携帯情報端末２において画像３１上に表示可能に構成されている。
【００７５】
したがって、この携帯情報端末２、測定システム１００および測定データ処理用プログラムＤｐによれば、測定装置１の表示部１４に表示される「測定結果」を読み取って携帯情報端末２において操作部２３の操作によって「測定結果」を入力する作業を行わなくても、測定装置１による「測定結果」を携帯情報端末２において測定結果表示４５として容易に表示させることができる。これにより、測定結果表示４５の表示を行う際の作業者の負担をさらに軽減することができる。
【００７６】
また、この携帯情報端末２では、処理部２５が、次に測定結果データＤ１を受信すべきブレーカＸ、および最後に受信された測定結果データＤ１のブレーカＸの少なくとも一方（本例では、双方）を特定可能な情報（本例では、最後に表示させた測定結果表示４５内の丸数字、および対象特定用表示４４の表示内容）を画像３１と共に表示させる。したがって、この携帯情報端末２、測定システム１００および測定データ処理用プログラムＤｐによれば、測定結果データＤ１を取得して測定結果表示４５を表示させたブレーカＸについての重複する測定作業を実行したり、測定結果データＤ１を取得して測定結果表示４５を表示させるべきブレーカＸについての測定作業を実行し忘れたりする事態を好適に回避することができる。これにより、各ブレーカＸについての測定結果表示４５を、重複や抜けを生じさせることなく、対応する像３２に対して正確に関連付けて表示させることができる。
【００７７】
なお、「測定データ処理装置」および「測定システム」の構成や、「測定データ処理用プログラム」の処理方法については、上記の例に限定されない。例えば、方向指定ボタン４１ａ〜４１ｆのうちのいずれかを選択することで「第１の表示位置に対する第２の表示位置の存在方向」を指定可能な構成・処理方法を例に挙げて説明したが、このような構成・処理方法に代えて（または、そのような構成・処理方法に加えて）、ポインティングデバイスやタッチパネルに対する操作によって、画像３１の任意の位置においてドラッグ操作を行うことで「存在方向」を指定する構成・処理方法を採用することもできる。この場合、ドラッグ操作によって「存在方向」を指定する構成・処理方法を採用するにあたり、そのドラッグ操作の始点を「第１の表示位置」として指定する構成・処理方法を採用することもできる。
【００７８】
また、「測定結果表示処理」に先立ち、「第１の表示位置」と「第１の表示位置に対する第２の表示位置の存在方向」とを指定させる構成・処理方法を例に挙げて説明したが、このような構成に代えて、「測定結果表示処理」に先立ち、「第１の表示位置」と「第２の表示位置」とを指定させ、「第１の表示位置」から「第２の表示位置」に向かって各「測定対象についての測定結果」を並べて表示させる構成・処理方法を採用することもできる。なお、携帯情報端末２の構成や、測定作業支援画面４０内の表示要素に関し、前述の例と同様の要素については同一の符号を付して重複する説明を省略する。
【００７９】
具体的には、一例として、まず、像３２−０１〜３２−１０のうちの上下方向の両端に位置する像３２−０１，３２−１０の一方である像３２−０１に関連付けてブレーカＸ−０１についての測定結果表示４５−０１を表示させる「第１の表示位置」として、図１３に示す位置Ｐ−０１をタップして指定する。これに応じて、処理部２５は、測定データ処理用プログラムＤｐに従い、図１４に示すように、１番目に取得される「測定結果」の表示位置であることを示すマーカー４２−０１を位置Ｐ−０１に表示させる。
【００８０】
次いで、像３２−０１〜３２−１０のうちの上下方向の両端に位置する像３２−０１，３２−１０の他方である像３２−１０に関連付けてブレーカＸ−１０についての測定結果表示４５−１０を表示させる「第２の表示位置」として、図１３に示す位置Ｐ−１０をタップして指定すると共に、上記の位置Ｐ−０１から位置Ｐ−１０までの間に１０個の測定結果表示４５（測定結果表示４５−０１〜４５−１０）を表示させることを指定する。これに応じて、処理部２５は、測定データ処理用プログラムＤｐに従い、図１４に示すように、１０番目に取得される「測定結果」の表示位置であることを示すマーカー４２−１０を位置Ｐ−１０に表示させる。
【００８１】
さらに、像３２−１１〜３２−２０のうちの上下方向の両端に位置する像３２−１１，３２−２０の一方である像３２−１１に関連付けてブレーカＸ−１１についての測定結果表示４５−１１を表示させる「第１の表示位置」として、図１３に示す位置Ｐ−１１をタップして指定する。これに応じて、処理部２５は、測定データ処理用プログラムＤｐに従い、図１４に示すように、１１番目に取得される「測定結果」の表示位置であることを示すマーカー４２−１１を位置Ｐ−１１に表示させる。
【００８２】
次いで、像３２−１１〜３２−２０のうちの上下方向の両端に位置する像３２−１１，３２−２０の他方である像３２−２０に関連付けてブレーカＸ−２０についての測定結果表示４５−２０を表示させる「第２の表示位置」として、図１３に示す位置Ｐ−２０をタップして指定すると共に、上記の位置Ｐ−１１から位置Ｐ−２０までの間に１０個の測定結果表示４５（測定結果表示４５−１１〜４５−２０）を表示させることを指定する。これに応じて、処理部２５は、測定データ処理用プログラムＤｐに従い、図１４に示すように、２０番目に取得される「測定結果」の表示位置であることを示すマーカー４２−２０を位置Ｐ−２０に表示させる。
【００８３】
以上により、「測定結果表示処理」に先立って行う表示条件の指定が完了する。また、「測定結果表示処理」に際しては、表示条件として「第１の表示位置」および「存在方向」を指定した上記の例のときと同様にして、各像３２−０１〜３２−１０に関連付けて各測定結果表示４５−０１〜４５−１０を順次表示させ、かつ各像３２−１１〜３２−２０に関連付けて各測定結果表示４５−１１〜４５−２０を順次表示させる。この際には、測定作業支援画面４０内に方向指定ボタン４１ａ〜４１ｆ等（前述の例では、方向指定ボタン４１ｅ）が表示されずに、マーカー４２−０１，４２−１１に加えてマーカー４２−１０，４２−２０が測定作業支援画面４０内に表示される点が相違するだけで、他の表示要素は、図６〜１１に示す測定作業支援画面４０と同様に表示される。
【００８４】
このような構成を採用した携帯情報端末２、およびその測定データ処理用プログラムＤｐや、そのような携帯情報端末２を備えた測定システム１００によれば、前述の構成の携帯情報端末２、およびその測定データ処理用プログラムＤｐや、測定システム１００と同様にして、列状に並んだ複数のブレーカＸ（測定対象）についての測定結果表示４５（測定結果）を表示させるときに、各ブレーカＸの像３２について測定結果表示４５の表示位置を個別に指定する煩雑な操作を行うことなく、「第１の表示位置」と「第２の表示位置」とを指定するだけで、各ブレーカＸについての測定結果表示４５を、対応する像３２に関連付けて表示させることができる。これにより、測定結果表示４５の表示を行う際の作業者の負担を十分に軽減することができる。
【００８５】
さらに、測定装置１から新たな測定結果データＤ１が送信される都度（携帯情報端末２において新たな測定結果データＤ１を取得する都度）、その測定結果データＤ１の値を示す測定結果表示４５を、指定されている表示条件に従って像３２に対応させて画像３１上に新たに表示させる構成・処理方法を例に挙げて説明したが、このような構成・処理方法に代えて、図１５に示すように、「第１の表示位置」と「第２の表示位置および存在方向の予め規定された一方」とがそれぞれ指定された時点において、「測定結果（上記の例では、絶縁抵抗値）」の表示部位が空欄の測定結果表示４５−０１〜４５−２０を各像３２−０１〜３２−２０に関連付けて表示させ、その後に、ブレーカＸ−０１の測定結果データＤ１から、ブレーカＸ−２０の測定結果データＤ１までの各「測定結果」が取得される都度、対応する測定結果表示４５における空欄の部位に「測定結果（絶縁抵抗値）」を表示させる構成・処理方法を採用することもできる。
【００８６】
また、測定装置１において各ブレーカＸを対象として実行した測定処理によって生成した測定結果データＤ１を測定装置１から携帯情報端末２に対して無線通信によって送信し、携帯情報端末２において測定結果データＤ１の値を反映して測定結果表示４５を表示させる構成・処理方法を例に挙げて説明したが、測定装置１と携帯情報端末２とを信号ケーブルを介して有線接続して測定結果データＤ１を有線通信によって送信して処理する構成・処理方法を採用することもできる。また、そのような構成に代えて（または、そのような構成に加えて、測定装置１の表示部１４に表示される測定結果を作業者が読み取り、携帯情報端末２の操作部１３を操作して、測定結果を手動で入力して処理させる構成・処理方法を採用することもできる。
【００８７】
さらに、「最後に受信された測定結果データの測定対象を特定可能な情報」として測定結果表示４５内に「測定番号を示す丸数字」を表示させ、かつ「次に測定結果データを受信すべき測定対象を特定可能な情報」として対象特定用表示４４を表示させる構成・処理方法を例に挙げて説明したが、「最後に受信された測定結果データの測定対象を特定可能な情報」および「次に測定結果データを受信すべき測定対象を特定可能な情報」のいずれか一方だけを表示させる構成・処理方法を採用することもできる。また、「最後に受信された測定結果データの測定対象を特定可能な情報」および「次に測定結果データを受信すべき測定対象を特定可能な情報」の双方を表示させない構成・処理方法を採用することもできる。
【００８８】
また、携帯情報端末２のカメラ２１によって生成された撮像データＤ０を「画像データ」として使用して画像３１を表示させる構成・処理方法を例に挙げて説明したが、携帯情報端末２に搭載されているカメラ２１とは異なるカメラ（外部装置で構成された撮像装置）によってブレーカＸ−０１〜Ｘ−２０等の「測定対象」を撮像した「撮像データ」や、ブレーカＸ−０１〜Ｘ−２０等の「測定対象」の「測定対象像」を描画した画像データを「画像データ」として使用して「画像」を表示させる構成・処理方法を採用することもできる。
【符号の説明】
【００８９】
１００  測定システム
１  測定装置
２  携帯情報端末
１１  測定部
１２，２２  通信部
１３，２３  操作部
１４，２４  表示部
１５，２５  処理部
１６，２６  記憶部
２１  カメラ
３１  画像
３２−０１〜３２−２０  像
４０  測定作業支援画面
４１ａ〜４１ｆ  方向指定ボタン
４２−０１，４２−１１  マーカー
４３  完了ボタン
４４  対象特定用表示
４５−０１〜４５−２０  測定結果表示
４６  測定終了ボタン
５０  測定結果表示画面
Ｄ０  撮像データ
Ｄ１，Ｄ２  測定結果データ
Ｄｐ  測定データ処理用プログラム
Ｐ−０１，Ｐ−０２・・  位置
Ｘ−０１〜Ｘ−２０  ブレーカ
Ｙ  配電盤
【図１】
2020076601.tif 000003
【図２】
2020076601.tif 000004
【図３】
2020076601.tif 000005
【図４】
2020076601.tif 000006
【図５】
2020076601.tif 000007
【図６】
2020076601.tif 000008
【図７】
2020076601.tif 000009
【図８】
2020076601.tif 000010
【図９】
2020076601.tif 000011
【図１０】
2020076601.tif 000012
【図１１】
2020076601.tif 000013
【図１２】
2020076601.tif 000014
【図１３】
2020076601.tif 000015
【図１４】
2020076601.tif 000016
【図１５】
2020076601.tif 000017